(57)【特許請求の範囲】
【請求項１】
サーバと移動機とを備える電池管理システムであって、
管理対象の電池を特定する電池情報を記憶する電池情報記憶手段と、
前記移動機に装着されている電池から電池情報を読み出す取得手段と、
前記サーバにおいて、前記電池情報記憶手段から読み出された電池情報と前記取得手段により読み出された電池情報とを照合して双方の電池情報が一致するか否かを判定する第１判定手段と、
前記第１判定手段での判定において前記双方の電池情報が一致した場合に、前記電池情報記憶手段から読み出された電池情報を前記移動機に送信する送信手段と、
前記移動機において、前記送信手段により送信された電池情報と該移動機に装着されている電池から読み出した電池情報とを照合して双方の電池情報が一致するか否かを判定する第２判定手段と、
前記第２判定手段での判定において前記双方の電池情報が一致した場合に、前記管理対象の電池に関する所定のメッセージを前記移動機のユーザに対して出力する出力手段と、
を備える電池管理システム。
【請求項２】
前記移動機に装着されている電池を充電する充電手段と、
前記第２判定手段での判定において前記双方の電池情報が一致した回数を前記移動機の識別情報と対応付けて記憶する回数記憶手段と、
前記回数記憶手段に記憶されている回数が所定の閾値以上になった場合に、前記移動機に装着されている電池が充電されないように前記充電手段を制御する充電制御手段と、
を更に備える請求項１に記載の電池管理システム。
【請求項３】
前記回数が前記閾値以上になった場合に、前記充電制御手段が、管理対象の電池であることを示す情報を前記移動機に装着されている電池に書き込む、
請求項２に記載の電池管理システム。
【請求項４】
サーバと移動機とを備える電池管理システムであって、
前記サーバが、
管理対象の電池を特定する電池情報を記憶する電池情報記憶手段と、
前記電池情報記憶手段から前記電池情報を読み出して前記移動機に送信する第１送信手段と、
前記電池情報記憶手段に記憶されている電池情報と前記移動機に装着されている電池の電池情報とが一致した回数を、前記移動機の識別情報と関連付けて記憶する回数記憶手段と、
前記回数記憶手段に記憶されている回数が所定の閾値以上になった場合に、前記電池情報記憶手段から前記電池情報を読み出して、該回数に対応付けられている前記移動機に該電池情報を送信する第２送信手段と、
を備え、
前記移動機が、
前記移動機に装着されている電池を充電する充電手段と、
前記第１送信手段により送信された電池情報を受信する第１受信手段と、
前記第１受信手段による電池情報の受信を契機として、前記移動機に装着されている電池から電池情報を読み出す第１取得手段と、
前記第１受信手段により受信された電池情報と前記第１取得手段により読み出された電池情報とを照合して双方の電池情報が一致するか否かを判定する第１判定手段と、
前記第１判定手段により前記双方の電池情報が一致したと判定された場合に、前記管理対象の電池に関する所定のメッセージを前記移動機のユーザに対して出力する出力手段と、
前記第１判定手段により前記双方の電池情報が一致したと判定されたことを示す一致情報を前記サーバに送信する移動機側送信手段と、
前記第２送信手段により送信された電池情報を受信する第２受信手段と、
前記第２受信手段による電池情報の受信を契機として、前記移動機に装着されている電池から電池情報を読み出す第２取得手段と、
前記第２受信手段により受信された電池情報と前記第２取得手段により読み出された電池情報とを照合して双方の電池情報が一致するか否かを判定する第２判定手段と、
前記第２判定手段により前記双方の電池情報が一致したと判定された場合に、前記移動機に装着されている電池が充電されないように前記充電手段を制御し、管理対象の電池であることを示す情報を該電池に書き込む充電制御手段と、
を備え、
前記回数記憶手段が、前記サーバが前記移動機側送信手段から前記一致情報を受信した場合に、前記回数を１だけ増分して記憶する、
電池管理システム。
【請求項５】
前記電池情報が製造年月日に関する情報と製造ラインに関する情報とを含む、
請求項１〜４のいずれか一項に記載の電池管理システム。
【請求項６】
サーバと移動機とを備える電池管理システムにより実行される電池管理方法であって、
管理対象の電池を特定する電池情報を記憶する電池情報記憶手段から該電池情報を読み出す第１取得ステップと、
前記移動機に装着されている電池から電池情報を読み出す第２取得ステップと、
前記サーバにおいて、前記第１取得ステップにおいて読み出された電池情報と前記第２取得ステップにより読み出された電池情報とを照合して双方の電池情報が一致するか否かを判定する第１判定ステップと、
前記第１判定ステップにおいて前記双方の電池情報が一致した場合に、前記電池情報記憶手段から読み出された電池情報を前記移動機に送信する送信ステップと、
前記移動機において、前記送信ステップにおいて送信された電池情報と該移動機に装着されている電池から読み出した電池情報とを照合して双方の電池情報が一致するか否かを判定する第２判定ステップと、
前記第２判定ステップにおいて前記双方の電池情報が一致した場合に、前記管理対象の電池に関する所定のメッセージを前記移動機のユーザに対して出力する出力ステップと、
を含むことを特徴とする電池管理方法。
【発明の詳細な説明】
【技術分野】
【０００１】
本発明は、移動機の電池を管理する電池管理システム及び電池管理方法に関する。
【背景技術】
【０００２】
移動機（例えば下記特許文献１に記載の携帯電話機）に装着されている電池（電池パック）は、不具合などの理由で必要に応じて市場から回収される場合がある。回収の際にはその旨が各種メディアを通じて告知されたり郵送等で各ユーザに通知され、ユーザからの申出を待って電池交換などの対応がなされるのが一般的である。
【先行技術文献】
【特許文献】
【０００３】
【特許文献１】特開２００５−２７７７６４号公報
【発明の概要】
【発明が解決しようとする課題】
【０００４】
しかしながら、メディアを通じた告知では全ユーザへの通知が保証されない。またユーザに個別に通知するとなると、配布物の準備などに手間が掛かると共に、ユーザがその通知を読まないという懸念も残る。
【０００５】
本発明は上記課題を解決するためになされたものであり、管理対象の電池を所持しているユーザに対して電池に関する所定の通知をより確実に伝えることが可能な電池管理システム及び電池管理方法を提供することを目的とする。
【課題を解決するための手段】
【０００６】
本発明の電池管理システムは、サーバと移動機とを備える電池管理システムであって、管理対象の電池を特定する電池情報を記憶する電池情報記憶手段と、移動機に装着されている電池から電池情報を読み出す取得手段と、サーバにおいて、電池情報記憶手段から読み出された電池情報と取得手段により読み出された電池情報とを照合して双方の電池情報が一致するか否かを判定する第１判定手段と、第１判定手段での判定において双方の電池情報が一致した場合に、電池情報記憶手段から読み出された電池情報を移動機に送信する送信手段と、移動機において、送信手段により送信された電池情報と該移動機に装着されている電池から読み出した電池情報とを照合して双方の電池情報が一致するか否かを判定する第２判定手段と、第２判定手段での判定において双方の電池情報が一致した場合に、管理対象の電池に関する所定のメッセージを移動機のユーザに対して出力する出力手段と、を備える。
【０００７】
本発明の電池管理方法は、サーバと移動機とを備える電池管理システムにより実行される電池管理方法であって、管理対象の電池を特定する電池情報を記憶する電池情報記憶手段から該電池情報を読み出す第１取得ステップと、移動機に装着されている電池から電池情報を読み出す第２取得ステップと、サーバにおいて、第１取得ステップにおいて読み出された電池情報と第２取得ステップにより読み出された電池情報とを照合して双方の電池情報が一致するか否かを判定する第１判定ステップと、第１判定ステップにおいて双方の電池情報が一致した場合に、電池情報記憶手段から読み出された電池情報を移動機に送信する送信ステップと、移動機において、送信ステップにおいて送信された電池情報と該移動機に装着されている電池から読み出した電池情報とを照合して双方の電池情報が一致するか否かを判定する第２判定ステップと、第２判定ステップにおいて双方の電池情報が一致した場合に、管理対象の電池に関する所定のメッセージを移動機のユーザに対して出力する出力ステップと、を含むことを特徴とする。
【０００８】
このような発明によれば、移動機に装着されている電池の電池情報と管理対象の電池の電池情報とが照合され、装着されている電池が管理対象のものであると判定されれば、所定のメッセージが移動機のユーザに向けて出力される。したがって、管理対象の電池を所持しているユーザに対してその電池に関する所定の通知をより確実に伝えることができる。
【０００９】
本発明の電池管理システムでは、移動機に装着されている電池を充電する充電手段と、第２判定手段での判定において双方の電池情報が一致した回数を移動機の識別情報と対応付けて記憶する回数記憶手段と、回数記憶手段に記憶されている回数が所定の閾値以上になった場合に、移動機に装着されている電池が充電されないように充電手段を制御する充電制御手段と、を更に備えることが好ましい。
【００１０】
この場合、移動機の電池の電池情報が管理対象の電池の電池情報と一致した回数（一致回数）が所定値以上になると、移動機に装着されている電池の充電が行われなくなる。これにより、電池交換をユーザに強く促すことができる。
【００１１】
本発明の電池管理システムでは、回数が閾値以上になった場合に、充電制御手段が、管理対象の電池であることを示す情報を移動機に装着されている電池に書き込むことが好ましい。
【００１２】
この場合には、管理対象の電池であることが電池自体に書き込まれるので、その後は電池自体を検査して管理対象か否かを判定することができる。
【００１３】
本発明の電池管理システムは、サーバと移動機とを備える電池管理システムであって、サーバが、管理対象の電池を特定する電池情報を記憶する電池情報記憶手段と、電池情報記憶手段から電池情報を読み出して移動機に送信する第１送信手段と、電池情報記憶手段に記憶されている電池情報と移動機に装着されている電池の電池情報とが一致した回数を、移動機の識別情報と関連付けて記憶する回数記憶手段と、回数記憶手段に記憶されている回数が所定の閾値以上になった場合に、電池情報記憶手段から電池情報を読み出して、該回数に対応付けられている移動機に該電池情報を送信する第２送信手段と、を備え、移動機が、移動機に装着されている電池を充電する充電手段と、第１送信手段により送信された電池情報を受信する第１受信手段と、第１受信手段による電池情報の受信を契機として、移動機に装着されている電池から電池情報を読み出す第１取得手段と、第１受信手段により受信された電池情報と第１取得手段により読み出された電池情報とを照合して双方の電池情報が一致するか否かを判定する第１判定手段と、第１判定手段により双方の電池情報が一致したと判定された場合に、管理対象の電池に関する所定のメッセージを移動機のユーザに対して出力する出力手段と、第１判定手段により双方の電池情報が一致したと判定されたことを示す一致情報をサーバに送信する移動機側送信手段と、第２送信手段により送信された電池情報を受信する第２受信手段と、第２受信手段による電池情報の受信を契機として、移動機に装着されている電池から電池情報を読み出す第２取得手段と、第２受信手段により受信された電池情報と第２取得手段により読み出された電池情報とを照合して双方の電池情報が一致するか否かを判定する第２判定手段と、第２判定手段により双方の電池情報が一致したと判定された場合に、移動機に装着されている電池が充電されないように充電手段を制御し、管理対象の電池であることを示す情報を該電池に書き込む充電制御手段と、を備え、回数記憶手段が、サーバが移動機側送信手段から一致情報を受信した場合に、回数を１だけ増分して記憶する。
【００１４】
この発明によれば、移動機に装着されている電池の電池情報と管理対象の電池の電池情報とが照合され、装着されている電池が管理対象のものであると判定されれば、所定のメッセージが移動機のユーザに向けて出力される。したがって、管理対象の電池を所持しているユーザに対してその電池に関する所定の通知をより確実に伝えることができる。また、移動機の電池の電池情報が管理対象の電池の電池情報と一致した回数（一致回数）が所定値以上になると、移動機に装着されている電池の充電が行われなくなるので、電池交換をユーザに強く促すことができる。また、管理対象の電池であることが電池自体に書き込まれるので、その後は電池自体を検査して管理対象か否かを判定することができる。更に、メッセージの出力および充電の禁止という処理の前に移動機側において電池情報が照合されてそれらの処理の要否が判定されるので、当該処理に関する誤作動などを未然に防止することができる。
【００１５】
本発明の電池管理システムでは、電池情報が製造年月日に関する情報と製造ラインに関する情報とを含むことが好ましい。
【００１６】
この場合には、電池の製造年月日および製造ラインに関する情報を照合することで上記処理が実行されるので、管理対象の電池を絞り込んで、きめ細かな電池の管理を実現できる。
【発明の効果】
【００１７】
このような電池管理システム及び電池管理方法によれば、装着されている電池が管理対象のものであるか否かが判定され、その結果に応じて所定のメッセージがユーザに向けて出力されるので、管理対象の電池を所持しているユーザに対して電池に関する所定の通知をより確実に伝えることができる。
【図面の簡単な説明】
【００１８】
【図１】実施形態に係る電池管理システムの全体構成を示す図である。
【図２】図１に示す交換機および移動機の機能構成を示す図である。
【図３】図１に示す交換機のハードウェア構成を示す図である。
【図４】図１に示す移動機のハードウェア構成を示す図である。
【図５】図１に示す電池管理システムのメッセージ表示に関する動作を示すフローチャートである。
【図６】図１に示す電池管理システムの充電禁止制御に関する動作を示すフローチャートである。
【発明を実施するための形態】
【００１９】
以下、添付図面を参照しながら本発明の実施形態を詳細に説明する。なお、図面の説明において同一又は同等の要素には同一の符号を付し、重複する説明を省略する。
【００２０】
まず、図１〜４を用いて、実施形態に係る電池管理システム１の機能及び構成を説明する。
【００２１】
電池管理システム１は、回収対象の電池を装着している移動機のユーザにその旨を報知し、必要に応じてそのような電池への充電を中止するように移動機を遠隔制御するコンピュータシステムである。移動機に装着される電池は一般に電池パックとして提供されているが、本願では原則として、電池パックの場合も含めて「電池」と表すこととする。図１に示すように、電池管理システム１は移動体通信網を構成する交換機１０と複数の移動機２０とを備えている。移動機２０としては、例えば携帯電話機や携帯情報端末（ＰＤＡ）が挙げられるが、移動機の種類はこれらに限定されるものではない。交換機１０は呼接続などの従来の処理をすると共に、電池管理システム１におけるサーバの役割を果たす。なお、図１では移動体通信網の一部を符号Ｎで表している。
【００２２】
交換機１０は、図２に示すように、機能的構成要素として電池ＩＤ記憶部１１、回数記憶部１２、ＩＤ取得部１３、表示指示部１４、及び充電禁止指示部１５を備えている。
【００２３】
この交換機１０は、図３に示すように、ＣＰＵ１０１と、ＲＯＭやＲＡＭで構成される主記憶部１０２と、ハードディスクなどで構成される補助記憶部１０３と、他の通信装置との間でデータの送受信を行う通信制御部１０４と、操作キーなどで構成される入力部１０５と、モニタなどで構成される出力部１０６とを備えている。図２に示す交換機１０の各機能は、ＣＰＵ１０１又は主記憶部１０２上に所定のプログラムを読み込ませ、ＣＰＵ１０１の制御の下で通信制御部１０４、入力部１０５及び出力部１０６を動作させるとともに、主記憶部１０２又は補助記憶部１０３に対してデータの読み出し又は書き込みを行うことで実現される。
【００２４】
図２に戻って、電池ＩＤ記憶部１１は、回収対象の電池を特定する一又は複数の電池ＩＤを記憶する部分である。回収対象の電池の電池ＩＤは、交換機１０のオペレータの入力操作により電池ＩＤ記憶部１１に記憶される。
【００２５】
電池ＩＤは、パック／セル、セル情報、パック情報を含む電池情報であり、トレーサビリティ・コードとして機能する。パック／セルは、電池パックの型名と製造メーカを示すコードとで構成されている。セル情報は、セルの製造年月日および製造ライン番号で構成されている。パック情報は、パックの製造年月日および製造ライン番号で構成されている。したがって、何年何月何日にどのラインで電池が製造されたかという詳細な情報を電池ＩＤから得ることができる。
【００２６】
回数記憶部１２は、回収対象の電池を装着していると判定された回数（移動機２０の電池の電池ＩＤが照合用の電池ＩＤと一致した回数）を移動機２０毎に記憶する部分である。具体的には、回数記憶部１２は移動機２０を識別する端末識別情報（例えば端末ＩＤや電話番号）とその回数（以下では「一致回数」という）とを関連付けて記憶する。
【００２７】
ＩＤ取得部１３は、各移動機２０の電池の電池ＩＤを取得する部分である。まず、ＩＤ取得部１３は移動機２０から電池ＩＤを取得するための要求信号を生成してシステム１内の各移動機２０に送信する。続いて、ＩＤ取得部１３はその要求信号に応じて各移動機２０から送られてきた応答信号を受信する。この応答信号には、移動機２０を識別する端末識別情報と、その移動機２０に装着されている電池の電池ＩＤとが含まれている。ＩＤ取得部１３は受信した端末識別情報および電池ＩＤを表示指示部１４に出力する。
【００２８】
表示指示部１４は、回収対象の電池を装着している移動機２０に対して、電池交換を促すためのメッセージの表示を指示する部分である。各移動機２０の端末識別情報および電池ＩＤの組が入力されると、表示指示部１４は回収対象の電池ＩＤを電池ＩＤ記憶部１１から読み出し、入力された電池ＩＤと読み出した電池ＩＤとを照合することで、回収対象の電池ＩＤに対応する端末識別情報を抽出する。これにより、指示対象の移動機２０が特定される。
【００２９】
１個以上の識別情報が抽出された場合には、表示指示部１４は電池交換をユーザに促すためのメッセージデータ（例えば「早急に電池パックをお取替え下さい。」というようなメッセージを含むデータ）を生成する。このメッセージは回収対象の電池に関するものである。続いて、表示指示部１４は特定した移動機２０にメッセージ表示をさせるための制御指示（以下では「表示指示」という）を生成する。表示指示には、移動機２０側で電池ＩＤを照合するための照合用データとメッセージデータとが含まれる。なお、照合用データは、送信先の移動機２０の端末識別情報に対応する電池ＩＤのみを含んでいてもよいし、電池ＩＤ記憶部１１から読み出したすべての電池ＩＤを含んでいてもよい。表示指示を生成したら、表示指示部１４は抽出された端末識別情報に基づいて、回収対象の電池を装着している移動機２０に対してその表示指示を送信する。
【００３０】
表示指示を送信すると、表示指示部１４はその指示に対する実行結果が移動機２０から送られてくるのを待つ。実行結果の詳細については後述するが、受信した実行結果が「電池ＩＤの一致」を示している場合には、表示指示部１４はその実行結果に基づいて回数記憶部１２内の一致回数を１だけ増分する。すなわち、表示指示部１４は実行結果に含まれる端末識別情報に対応する一致回数を１だけ増分する。一方、受信した実行結果が「電池ＩＤの不一致」を示している場合には、表示指示部１４は何も行わない。
【００３１】
以上に対して、回収対象の電池ＩＤに対応する端末識別情報が抽出されなかった場合には、表示指示部１４は処理を終了する。
【００３２】
充電禁止指示部１５は、上記メッセージを所定の回数以上表示した移動機２０に対して充電の禁止を指示する部分である。充電禁止指示部１５は回数の判定を行うための閾値を予め保持している。閾値は任意に設定してよいが、例えば３，５などと設定することが考えられる。充電禁止指示部１５は所定のタイミング（例えば一定時間間隔、オペレータからの入力を受け付けた時など）で回数記憶部１２内の情報を参照し、一致回数がその閾値以上である端末識別情報を抽出する。
【００３３】
１個以上の識別情報が抽出された場合には、充電禁止指示部１５は回収対象の電池の充電を不可能にさせるための制御指示（以下では「充電禁止指示」という）を生成し、抽出済の端末制御情報に基づいて１台以上の移動機２０にその指示を送信する。この充電禁止指示は、表示指示と同様に照合用データ（照合用の電池ＩＤ）を含んでいる。充電禁止指示を送信した後、充電禁止指示部１５はその指示に対する実行結果を移動機２０から受信して保持する。
【００３４】
一方、端末識別情報が抽出されなかった場合には、充電禁止指示部１５は処理を終了する。
【００３５】
次に移動機２０について説明する。図２に示すように、移動機２０は機能的構成要素としてＩＤ送信部２１、表示処理部２２、充電部２３、及び充電制御部２４を備えている。
【００３６】
この移動機２０は、図４に示すように、オペレーティングシステムやアプリケーションプログラムなどを実行するＣＰＵ２０１と、ＲＯＭ及びＲＡＭで構成される主記憶部２０２と、メモリなどで構成される補助記憶部２０３と、データ通信を行う通信制御部２０４と、液晶モニタなどで構成される表示部２０５と、入力キーなどで構成される操作部２０６とで構成される。図２に示す移動機２０の各機能は、ＣＰＵ２０１及び主記憶部２０２の上に所定のプログラムを読み込ませ、ＣＰＵ２０１の制御の下で通信制御部２０４、表示部２０５及び操作部２０６を動作させるとともに、主記憶部２０２や補助記憶部２０３に対してデータの読み出し又は書き込みを行うことで実現される。
【００３７】
図２に戻って、ＩＤ送信部２１は、移動機２０に装着されている電池Ｂの電池ＩＤを交換機１０に送信する部分である。ＩＤ送信部２１は、交換機１０から送られてきた要求信号を受信すると、電池Ｂ内のメモリに記憶されている電池ＩＤを読み出す。続いて、ＩＤ送信部２１は読み出した電池ＩＤと移動機２０の端末識別情報とを含む応答信号を生成して交換機１０に送信する。
【００３８】
表示処理部２２は、電池Ｂが回収対象か否かを判定し、回収対象であると判定した場合に電池交換をユーザに促すメッセージを表示する部分である。
【００３９】
表示処理部２２は、交換機１０から送られてきた表示指示を受信すると電池Ｂ内の電池ＩＤを読み出す。続いて、表示処理部２２はその電池ＩＤと表示指示内の照合用データとを照合する。このとき電池ＩＤと照合用データ内の電池ＩＤとが一致すれば、表示処理部２２は表示指示からメッセージデータを抽出して表示部２０５に表示する。また、表示処理部２２は「電池ＩＤの一致」を示す情報と移動機２０の端末識別情報とを含む実行結果を生成し交換機１０に送信する。一方、電池ＩＤと照合用データ内の電池ＩＤとが一致しなければ、表示処理部２２は「電池ＩＤの不一致」を示す情報と移動機２０の端末識別情報とを含む実行結果を生成して交換機１０に送信し、処理を終了する。
【００４０】
電池ＩＤが一致してメッセージが表示されたということは、回収対象の電池が移動機２０にまだ装着されていることを意味し、電池ＩＤが一致せずにメッセージが表示されなかったということは、移動機２０の電池が装着されるべきものに交換されたことを意味する。
【００４１】
充電部２３は、所定の電源から流れてきた電気を電池Ｂに供給することで電池Ｂを充電する部分である。ただし、後述する充電制御部２４から充電禁止信号が入力された以降は、充電部２３は電池Ｂへの電気の供給を行わない。
【００４２】
充電制御部２４は、電池Ｂの電池ＩＤと照合用データ内の電池ＩＤとが所定の回数以上一致した場合に、その電池Ｂが充電されないように充電部２３を制御する部分である。ここで、それらの電池ＩＤが所定の回数以上一致するとは、電池Ｂが回収対象のものであると所定の回数以上判定されたことを意味すると共に、電池交換を促すメッセージが所定の回数以上表示されたことも意味する。
【００４３】
充電制御部２４は、交換機１０から送られてきた充電禁止指示を受信すると電池Ｂ内の電池ＩＤを読み出す。続いて、充電制御部２４はその電池ＩＤと充電禁止指示内の照合用データとを照合する。このとき電池ＩＤと照合用データ内の電池ＩＤとが一致すれば、充電制御部２４は充電処理を行わせないための充電禁止信号を生成して充電部２３に出力する。また、充電制御部２４は回収対象の電池であることを示す情報（フラグ）を電池Ｂ内のメモリに書き込む。更に、充電制御部２４は「電池ＩＤの一致」を示す情報と移動機２０の端末識別情報とを含む実行結果を生成し交換機１０に送信する。
【００４４】
一方、電池ＩＤと照合用データ内の電池ＩＤとが一致しなければ、充電制御部２４は「電池ＩＤの不一致」を示す情報と移動機２０の端末識別情報とを含む実行結果を生成し交換機１０に送信して、処理を終了する。電池ＩＤが一致しなかったということは、移動機２０の電池が装着されるべきものに交換されたことを意味する。
【００４５】
次に、図５，６を用いて、図１に示す電池管理システム１の動作を説明するとともに本実施形態に係る電池管理方法について説明する。なお、図５，６では、説明を容易にするために必要に応じて個々の移動機を移動機２０ａ，２０ｂと識別する。
【００４６】
図５を用いてメッセージ表示に関する動作を説明する。まず、交換機１０のＩＤ取得部１３が電池管理システム１内の各移動機２０に要求信号を送信する（ステップＳ１１）。これに応じて、各移動機２０のＩＤ送信部２１は電池Ｂの電池ＩＤを読み出し応答信号として交換機１０に送信する（ステップＳ１２）。
【００４７】
続いて、交換機１０の表示指示部１４が、各移動機２０から受信した電池ＩＤと電池ＩＤ記憶部１１から読み出した電池ＩＤとを照合して、回収対象の電池ＩＤに対応する移動機、すなわちメッセージを表示させる移動機を特定する（ステップＳ１３。第１取得ステップを含む。）。以下では、この処理によって移動機２０ｂのみが特定されたことを前提として説明する。表示指示部１４は電池交換を促すためのメッセージデータと照合用の電池ＩＤのデータとを含む表示指示を生成して移動機２０ｂに送信する（ステップＳ１４）。
【００４８】
移動機２０ｂでは、表示処理部２２が電池Ｂから読み出した電池ＩＤと表示指示から取り出した電池ＩＤ（照合用データ）とを照合し（ステップＳ１５、第２取得ステップおよび判定ステップ）、双方の電池ＩＤが一致したか否かを示す実行結果を交換機１０に送信する（ステップＳ１６）。双方の電池ＩＤが一致したならば（ステップＳ１７；ＹＥＳ、判定ステップ）、表示処理部２２は表示指示からメッセージデータを抽出し表示する（ステップＳ１８、出力ステップ）。これにより、移動機２０ｂのユーザは自機の電池が回収対象であることを知ることができる。なお、電池ＩＤが一致しなかった場合は（ステップＳ１７；ＮＯ、判定ステップ）、表示処理部２２は処理を終了する。
【００４９】
一方、交換機１０では、表示指示部１４が移動機２０ｂからの実行結果を受信してその結果が電池ＩＤの一致を示すものであるか否かを判定する（ステップＳ１９）。このとき、実行結果が電池ＩＤの一致を示していれば（ステップＳ１９；ＹＥＳ）、表示指示部１４は移動機２０ｂの一致回数を１だけ増分して回数記憶部１２に記憶し（ステップＳ２０）、そうでなければ処理を終了する（ステップＳ１９；ＮＯ）。
【００５０】
図５に示す処理は所定の時間間隔で繰り返し実行される。したがって、例えば移動機２０ｂのユーザが電池交換を行わなければ、交換を促すメッセージが繰り返し表示されると共に、交換機１０の回数記憶部１２に記憶されている移動機２０ｂの一致回数（メッセージ表示回数）が増えていく。
【００５１】
次に、図６を用いて移動機での充電を禁止させる動作を説明する。まず、交換機１０の充電禁止指示部１５が回数記憶部１２を参照して、一致回数が所定の閾値以上である移動機２０を抽出する（ステップＳ３１）。このときにそのような移動機が一つも抽出されなければ処理が終了するが（ステップＳ３１；ＮＯ）、以下では移動機２０ｂの一致回数が閾値以上であることを前提に説明する。移動機２０ｂが抽出されると（ステップＳ３１；ＹＥＳ）、充電禁止指示部１５は充電禁止指示を生成して移動機２０ｂに送信する（ステップＳ３２）。
【００５２】
移動機２０ｂでは、充電制御部２４が電池Ｂの電池ＩＤと充電禁止指示内の電池ＩＤとを照合し（ステップＳ３３）、その実行結果を交換機１０に送信する（ステップＳ３４）。双方の電池ＩＤが一致した場合には（ステップＳ３５；ＹＥＳ）、充電制御部２４は電池Ｂが充電されないように充電部２３を制御し（ステップＳ３６）、回収対象の電池であることを示すフラグを電池Ｂ内のメモリに書き込む（ステップＳ３７）。この結果、移動機２０ｂのユーザは電池を交換しない限り充電することができなくなる。また、回収対象であることを示す情報が電池Ｂ内に記録される。以上に対して、二つの電池ＩＤが一致しなかった場合には（ステップＳ３５；ＮＯ）、充電制御部２４は処理を終了する。
【００５３】
以上説明したように、本実施形態によれば、移動機２０に装着されている電池Ｂの電池ＩＤと回収対象の電池の電池ＩＤとが照合され、その電池Ｂが回収対象のものであると判定されれば、電池交換を促すメッセージが移動機２０にて表示される。したがって、回収対象の電池を所持しているユーザに対してそのメッセージをより確実に伝えることができる。
【００５４】
また本実施形態によれば、電池Ｂの電池ＩＤが回収対象の電池の電池ＩＤと一致した回数（一致回数）が所定値以上になると電池Ｂの充電が行われなくなるので、電池交換をユーザに強く促すことができる。
【００５５】
また本実施形態によれば、回収対象の電池であることが電池Ｂ自体に書き込まれるので、その後は電池Ｂ自体を検査して回収対象か否かを判定することができる。例えば、電池Ｂが別の移動機に装着された場合でも、その移動機は、交換機１０との間で通信をすることなく、電池Ｂ内のフラグを読み出して回収対象か否かを判定できる。
【００５６】
また本実施形態によれば、メッセージの出力および充電の禁止という処理の前に移動機２０側において電池ＩＤが照合されてそれらの処理の要否が判定されるので、当該処理に関する誤作動などを未然に防止することができる。例えば、移動機２０の電池Ｂが既に正常なものに交換されているのにメッセージが表示されたり充電ができなくなるなどの誤作動を防止できる。
【００５７】
また本実施形態によれば、電池の製造年月日および製造ラインに関する情報を照合することで上記処理が実行されるので、管理対象の電池を絞り込んで、きめ細かな電池の管理を実現できる。従来は製造年月の情報しか電池に記録されていなかったので、例えば特定のラインが１日だけ不具合であった場合でも一ヶ月分の電池を回収する必要があり、多大な回収コストが発生していた。これに対し本発明では、回収コストを大きく低減するとともに電池の効率的な管理（回収）を行うことができる。
【００５８】
以上、本発明をその実施形態に基づいて詳細に説明した。しかし、本発明は上記実施形態に限定されるものではない。本発明は、その要旨を逸脱しない範囲で様々な変形が可能である。
【００５９】
上記実施形態において電池管理システム１は回収対象の電池に関する処理を実行したが、管理対象の電池は回収しようとするものに限定されず、例えば非純正品の電池を管理対象としてもよい。
【００６０】
上記実施形態において移動機２０は電池交換を促すメッセージを表示したが、電池に関するメッセージの出力方法はこれに限定されない。例えば、移動機２０はメッセージを音声で出力してもよいし、画面と音声の双方を組み合わせて出力してもよい。
【００６１】
上記実施形態では充電制御部２４が充電禁止の処理と電池へのフラグの書き込みとを実行したが、充電制御手段は充電禁止の処理のみを実行してもよい。また、充電禁止の処理を行わなくてもよく、その場合には上記実施形態における回数記憶部１２、充電禁止指示部１５、充電制御部２４に相当する構成要素を省略できる。
【００６２】
電池ＩＤの構成は上記実施形態に限定されず、例えば製造年月日に代えて従来のように製造年月をそのＩＤに含ませてもよい。
【００６３】
上記実施形態では移動機２０側（表示処理部２２および充電制御部２４）で電池ＩＤの照合を実行したが、この照合処理をサーバ側（例えば交換機１０）で実行してもよい。例えば上記実施形態では表示指示部１４が電池ＩＤを照合して表示指示の送信先である移動機を特定しているが、この特定処理が表示処理部２２における照合処理を兼ねるようにしてもよい。この場合には、表示処理部２２は表示指示を受信すると無条件にメッセージを表示する。また、充電禁止指示部１５が移動機２０に電池ＩＤを要求し、その要求に応じて送られてきた電池ＩＤと電池ＩＤ記憶部１１内の電池ＩＤとを照合して充電禁止の要否を判定してもよい。この場合には、充電制御部２４は充電禁止指示を受信すると無条件に充電禁止の処理とフラグの書き込みとを実行する。
【００６４】
上記実施形態では交換機１０がサーバとしての役割を果たしたが、交換機とは別の通信装置やコンピュータなどに本発明のサーバの機能を持たせてもよい。
【符号の説明】
【００６５】
１…電池管理システム、１０…交換機（サーバ）、１１…電池ＩＤ記憶部（電池情報記憶手段）、１２…回数記憶部（回数記憶手段）、１３…ＩＤ取得部、１４…表示指示部（第１送信手段）、１５…充電禁止指示部（第２送信手段）、２０…移動機、２１…ＩＤ送信部、２２…表示処理部（第１受信手段、（第１）取得手段、（第１）判定手段、出力手段、移動機側送信手段）、２３…充電部（充電手段）、２４…充電制御部（第２受信手段、第２取得手段、第２判定手段、充電制御手段）、Ｂ…移動機に装着されている電池。
【図１】
0005581063.tif 000002
【図２】
0005581063.tif 000003
【図３】
0005581063.tif 000004
【図４】
0005581063.tif 000005
【図５】
0005581063.tif 000006
【図６】
0005581063.tif 000007